(57)【要約】  部品点数を増加させることなく、不要な信号の干渉を抑制しつつ、必要な信号を取り出し得る分波器を提供する。  アンテナ端子３と第１の端子５との間に第１のバンドパスフィルタ４が接続されており、アンテナ端子３と第２の端子９との間にハイパスフィルタ７及び第２のバンドパスフィルタ８が接続されており、第２のバンドパスフィルタ８の通過帯域が第１のバンドパスフィルタ４の通過帯域よりも高く、ハイパスフィルタ７のカットオフ周波数が第１のバンドパスフィルタ４の通過帯域よりも高域側に位置しており、第２のバンドパスフィルタ８の通過帯域が該カットオフ周波数よりも高域側にあり、さらにハイパスフィルタ７が、第２のバンドパスフィルタ８の通過帯域と減衰帯域との間の遷移域の急峻性を高めるように、該遷移域に反共振周波数を有するノッチフィルタとしても機能する、分波器１。
2012176508.tif 000002
【特許請求の範囲】
【請求項１】
アンテナ端子と、第１，第２の端子とを有する分波器であって、
前記アンテナ端子に入力端が接続されており、出力端が前記第１の端子に接続されており、相対的に低い第１の通過帯域を有する第１のバンドパスフィルタと、
入力端及び出力端を有し、前記入力端が前記アンテナ端子に接続されており、前記第１の通過帯域よりも高い周波数位置にある第２の通過帯域を有するハイパスフィルタとを備え、
前記ハイパスフィルタが、前記第２の通過帯域内に阻止帯域を形成するノッチフィルタとしての機能を有する、分波器。
【請求項２】
前記ハイパスフィルタが、該ハイパスフィルタの入力端と出力端とを結ぶ直列腕に設けられた少なくとも１つの弾性波共振子と、前記直列腕とグラウンド電位とを結ぶ少なくとも１つの並列腕に設けられたインダクタンス素子とを備え、前記弾性波共振子の容量成分と前記インダクタンス素子のインダクタンスとによりハイパスフィルタのフィルタ特性が得られており、かつ前記弾性波共振子の反共振周波数によりノッチフィルタとしての周波数特性が得られている、請求項１に記載の分波器。
【請求項３】
前記ハイパスフィルタが、前記直列腕に配置された第１，第２の弾性波共振子と、第１，第２の弾性波共振子間の接続点とグラウンド電位とを結ぶ前記並列腕に接続された前記インダクタンス素子とを備える、請求項２に記載の分波器。
【請求項４】
前記ハイパスフィルタが、前記直列腕に配置された第１，第２の弾性波共振子と、入力端とグラウンド電位との間に接続された第１の並列腕に配置された第１のインダクタンス素子と、前記出力端と前記グラウンド電位との間に接続された第２の並列腕に配置された第２のインダクタンス素子とを有する、請求項２に記載の分波器。
【請求項５】
前記ハイパスフィルタの出力端と前記第２の端子との間に接続されており、前記ハイパスフィルタの前記第２の通過帯域内に位置し、前記阻止帯域に近接する第３の通過帯域を有する第２のバンドパスフィルタを更に備える、請求項１〜４のいずれか一項に記載の分波器。
【請求項６】
前記第１のバンドパスフィルタが、ＧＰＳまたはＧＬＯＮＡＳＳの搬送波周波数を前記第１の通過帯域とし、前記第２のバンドパスフィルタが、２．４ＧＨｚ帯のＷＬＡＮの搬送波周波数を前記第３の通過帯域とし、ＵＭＴＳのＢａｎｄ７またはＢａｎｄ４０の搬送波周波数帯を前記阻止帯域とする、請求項５に記載の分波器。
【発明の詳細な説明】
【技術分野】
【０００１】
本発明は、携帯電話機などに用いられる分波器に関し、より詳細には、アンテナ端子に接続されている第１のバンドパスフィルタと、アンテナ端子に接続されており、第１のバンドパスフィルタよりも高い周波数域に通過帯域を有する第２のバンドパスフィルタとが接続されている分波器に関する。
【背景技術】
【０００２】
近年、携帯電話機では、多数の通信方式において信号を送受信している。そのため、アンテナ端子に分波器が接続されている。【０００３】
例えば、下記の特許文献１には、図５に示す分波器が開示されている。分波器１００１は、アンテナ端子１００２を有する。アンテナ端子１００２に、整合回路１００３を介して通過帯域が相対的に低いバンドパスフィルタ１００４が接続されている。バンドパスフィルタ１００４は弾性表面波フィルタからなり、出力端が第１の端子１００５に接続されている。【０００４】
他方、アンテナ端子１００２には、ハイパスフィルタ１００６が接続されており、ハイパスフィルタ１００６の出力端が第２の端子１００７に接続されている。ハイパスフィルタ１００６のカットオフ周波数は、前記バンドパスフィルタ１００４の通過帯域よりも高域側にある。【０００５】
他方、下記の特許文献２には、ＧＰＳ受信フィルタと、２つのセルラーバンドをそれぞれ受信する２つのバンドパスフィルタとが備えられた高周波モジュールが開示されている。ここでは、ＧＰＳ受信フィルタ及び２つのバンドパスフィルタが、スイッチにより切り換えられるように構成されている。
【先行技術文献】
【特許文献】
【０００６】
【特許文献１】ＷＯ２００５／０８８８３３
【特許文献２】特開２００６−１０８７３４号公報
【発明の概要】
【発明が解決しようとする課題】
【０００７】
近年、携帯電話機などにおいては、様々な周波数の通信方式が併用されている。また、ＧＰＳ機能なども備えられている。ＧＰＳやＧＬＯＮＡＳＳでは、搬送波周波数帯域は１．５〜１．６ＧＨｚである。これに対して、ＷＬＡＮの搬送波周波数帯域はＩＥＥＥ８０２．１１ｂなどでは、２．４ＧＨｚ付近である。従って、例えば図５に示した分波器１００１において、バンドパスフィルタ１００４の通過帯域によりＧＰＳの信号を受信し、ハイパスフィルタ１００６側においてＷＬＡＮの信号を受信することができる。【０００８】
しかしながら、ＷＬＡＮの搬送波周波数帯域が２．４ＧＨｚ付近であるのに対し、この周波数に近接してＢａｎｄ７の搬送波周波数帯域が位置する。Ｂａｎｄ７の搬送波周波数帯域は２．５〜２．６ＧＨｚ付近である。従って、ハイパスフィルタ１００６では、ＷＬＡＮの信号をＢａｎｄ７の信号に対して分離することができない。【０００９】
よって、このような用途では、ハイパスフィルタ１００６の後段にＷＬＡＮの搬送波周波数を通過帯域とする、図５に破線で示すバンドパスフィルタ１００８を接続しなければならない。【００１０】
しかも、このようなバンドパスフィルタ１００８を接続したとしても、ＷＬＡＮの通過帯域に隣接する減衰域における急峻性を高めることは困難であった。Ｂａｎｄ７の搬送波周波数帯域は、上記のようにＷＬＡＮの搬送波周波数帯域に非常に近接している。よって、ＷＬＡＮの通過帯域高域側における減衰域の急峻性を高めるには、バンドパスフィルタ１００８に加えて、さらに、Ｂａｎｄ７の通過帯域の信号を減衰させる帯域阻止フィルタを接続しなければならなかった。よって、部品点数が増大し、コストが高くつくという問題があった。【００１１】
他方、特許文献２に記載のように、マルチバンド化に対応して、各バンドに応じたバンドパスフィルタをアンテナ端子に接続し、スイッチで切り換えることも考えられる。しかしながら、スイッチを必要とするため、大型化し、かつコストが高くつくこととなる。【００１２】
本発明の目的は、部品点数を増加させることなく、かつ安価に提供することができ、さらにアンテナ端子に接続されているバンドパスフィルタの通過帯域に隣接している減衰域におけるフィルタ特性の急峻性を効果的に高め得る分波器を提供することにある。
【課題を解決するための手段】
【００１３】
本発明に係る分波器は、アンテナ端子と、第１，第２の端子とを有する。該分波器は、第１のバンドパスフィルタ及びハイパスフィルタを備える。第１のバンドパスフィルタは、その入力端がアンテナ端子に接続されており、出力端が第１の端子に接続されている。第１のバンドパスフィルタは、相対的に低い第１の通過帯域を有する。【００１４】
上記ハイパスフィルタは、入力端及び出力端を有し、入力端がアンテナ端子に接続されている。ハイパスフィルタは、第１の通過帯域よりも高い周波数位置にある第２の通過帯域を有する。【００１５】
そして、本発明では、上記ハイパスフィルタが、第２の通過帯域内に阻止帯域を形成するノッチフィルタとしての機能を有する。【００１６】
本発明に係る分波器のある特定の局面では、上記ハイパスフィルタは、ハイパスフィルタの入力端と出力端とを結ぶ直列腕に設けられた少なくとも１つの弾性波共振子と、直列腕とグラウンド電位とを結ぶ少なくとも１つの並列腕に設けられたインダクタンス素子とを備える。弾性波共振子の容量成分とインダクタンス素子のインダクタンスとによりハイパスフィルタのフィルタ特性が得られている。さらに、前記弾性波共振子の反共振周波数により前記ノッチフィルタとしての特性が得られている。それによって周波数特性上にトラップすなわち阻止帯域が形成されている。この場合には、少ない部品点数で、第２のバンドパスフィルタの減衰域における急峻性をより効果的に高めることができる。【００１７】
本発明に係る分波器の他の特定の局面では、ハイパスフィルタが、直列腕に配置された第１，第２の弾性波共振子と、第１，第２の弾性波共振子間の接続点とグラウンド電位とを結ぶ並列腕に接続されたインダクタンス素子とを備える。【００１８】
また、本発明に係る分波器のさらに他の特定の局面では、ハイパスフィルタは、直列腕に配置された第１，第２の弾性波共振子と、入力端とグラウンド電位との間に接続された第１の並列腕に配置された第１のインダクタンス素子と、出力端とグラウンド電位との間に接続された第２の並列腕に配置された第２のインダクタンス素子とを有する。この場合には、並列腕に配置されたインダクタンス素子によりインピーダンス整合を容易に図ることができる。また、耐サージ電圧性も高めることができる。【００１９】
本発明に係る分波器のさらに別の特定の局面では、前記ハイパスフィルタの出力端と前記第２の端子との間に接続されており、前記ハイパスフィルタの前記第２の通過帯域内に位置し、前記阻止帯域に近接する第３の通過帯域を有する第２のバンドパスフィルタがさらに備えられている。この場合には、第３の通過帯域近傍におけるフィルタ特性の急峻性を効果的に高めることができる。従って、第３の通過帯域内の信号の選択度を高めることができる。【００２０】
本発明に係る分波器のさらに別の特定の局面では、前記第１のバンドパスフィルタが、ＧＰＳまたはＧＬＯＮＡＳＳの搬送波周波数を第１の通過帯域とし、前記第２のバンドパスフィルタが、２．４ＧＨｚ帯のＷＬＡＮの搬送波周波数を第３の通過帯域とし、ＵＭＴＳのＢａｎｄ７またはＢａｎｄ４０の搬送波周波数帯が前記阻止帯域である。この場合には、ＧＰＳまたはＧＬＯＮＡＳＳに対応した第１のバンドパスフィルタと、ＷＬＡＮに対応した第２のバンドパスフィルタとを備える構成において、ＷＬＡＮの通過帯域近傍における急峻性を効果的に高めることができる。従って、Ｂａｎｄ７またはＢａｎｄ４０の影響を抑制し、ＷＬＡＮの信号の選択度を高めることができる。
【発明の効果】
【００２１】
本発明に係る分波器では、ハイパスフィルタが、上記ノッチフィルタとしても機能するため、不要な信号の干渉を抑制しつつ、必要な信号を取り出すことができる。しかも、ハイパスフィルタ自体が上記ノッチフィルタとしても機能するため、部品点数の増加を抑制できる。
【図面の簡単な説明】
【００２２】
【図１】図１は、本発明の第１の実施形態に係る分波器を説明するための概略構成図である。
【図２】図２は、本発明の第１の実施形態に係る分波器の回路図である。
【図３】図３は、第１の実施形態の分波器における第１のバンドパスフィルタの減衰量周波数特性及びハイパスフィルタの減衰量周波数特性、並びに第２のバンドパスフィルタの周波数特性を示す図である。
【図４】図４は、本発明の第２の実施形態に係る分波器の回路図である。
【図５】図５は、従来の分波器の一例を示す回路図である。
【発明を実施するための形態】
【００２３】
以下、図面を参照しつつ、本発明の具体的な実施形態を説明することにより、本発明を明らかにする。
【００２４】
図１は、本発明の第１の実施形態に係る分波器を説明するための概略構成図である。分波器１は、携帯電話機のアンテナに接続されるアンテナ端子３を有する。分波器１は、ＧＰＳの信号と、ＷＬＡＮの信号とを取り出す。分波器１において、ＧＰＳの通過帯域は、１．５〜１．６ＧＨｚ付近に存在する。他方、ＷＬＡＮの通過帯域は、ＩＥＥＥ８０２．１１ｂ、ＩＥＥＥ８０２．１１ｇ及びＩＥＥＥ８０２．１１ｎでは、２．４ＧＨｚ付近に存在する。ところで、このような２．４ＧＨｚ帯のＷＬＡＮの通過帯域高域側近傍には、ＵＭＴＳのＢａｎｄ７の搬送波周波数帯域が存在する。Ｂａｎｄ７の搬送波周波数帯域は、２．５〜２．６９ＧＨｚにある。従って、ＷＬＡＮの信号を取り出す側においては、Ｂａｎｄ７の信号を十分に減衰させる必要がある。
【００２５】
上記分波器１は、第１のバンドパスフィルタ４を有する。第１のバンドパスフィルタ４の入力端がアンテナ端子３に接続されている。第１のバンドパスフィルタ４は、上記ＧＰＳの信号を取り出すために設けられている。第１のバンドパスフィルタ４の出力端は、第１の端子５に接続されている。第１の端子５からＧＰＳの信号が取り出され、後段に接続されているＲＦ−ＩＣ６に与えられる。
【００２６】
他方、分波器１はハイパスフィルタ７も有する。ハイパスフィルタ７の入力端はアンテナ端子３に接続されている。ハイパスフィルタ７は、ＧＰＳの信号を除去するために設けられている。従って、ハイパスフィルタ７のカットオフ周波数は、第１のバンドパスフィルタ４の通過帯域よりも高域側にある。
【００２７】
加えて、本実施形態では、ハイパスフィルタ７は、そのカットオフ周波数よりも高い周波数域、すなわちハイパスフィルタ７の通過帯域内に図１に矢印Ａで模式的に示すトラップを形成するノッチフィルタとしても機能する。
【００２８】
上記ハイパスフィルタ７の出力端は、第２のバンドパスフィルタ８の入力端に接続されている。第２のバンドパスフィルタ８は、ＷＬＡＮの信号を取り出す帯域通過型のフィルタである。第２のバンドパスフィルタ８の通過帯域は、ＷＬＡＮの信号を取り出すため、２．４ＧＨｚ帯にある。第２のバンドパスフィルタ８の出力端が第２の端子９に接続されている。第２の端子９から、ＷＬＡＮの信号が取り出され、後段のＲＦ−ＩＣ６に与えられる。
【００２９】
前述したように、分波器１のＷＬＡＮの通過帯域と、Ｂａｎｄ７の搬送波周波数帯域とは非常に近接している。従って、ＷＬＡＮの信号とＢａｎｄ７の信号との干渉を回避するためには、Ｂａｎｄ７の搬送波周波数帯域における減衰量を十分大きくすることが必要である。本実施形態では、ハイパスフィルタ７がノッチフィルタ部を有するように構成されているため、Ｂａｎｄ７の信号を十分に減衰させ、ＷＬＡＮの通過帯域高域側におけるフィルタ特性の急峻性を効果的に高めることができる。これを、図２の具体的な回路図を参照しつつ、より詳細に説明する。
【００３０】
図２は、上記分波器１の回路図を示す。第１のバンドパスフィルタ４は、図示のようにラダー型回路構成を有する帯域通過型のフィルタである。第１のバンドパスフィルタ４は、入力端と出力端とを結ぶ直列腕に直列に接続された複数の直列腕共振子Ｓ１〜Ｓ３を有する。直列腕共振子Ｓ１，Ｓ２間の接続点とグラウンド電位とを結ぶ並列腕に第１の並列腕共振子Ｐ１が配置されている。直列腕共振子Ｓ２，Ｓ３間の接続点とグラウンド電位とを結ぶ並列腕に並列腕共振子Ｐ２が配置されている。出力端とグラウンド電位との間を結ぶ直列腕に並列腕共振子Ｐ３が配置されている。直列腕共振子Ｓ１〜Ｓ３及び並列腕共振子Ｐ１〜Ｐ３は、それぞれ、弾性表面波共振子からなる。もっとも、第１のバンドパスフィルタ４は、このような弾性表面波共振子を用いたものに限らず、弾性境界波共振子や圧電薄膜共振子などの他の弾性波共振子を用いて構成されていてもよい。さらに、第１のバンドパスフィルタ４は、ＧＰＳの信号を通過させる帯域通過型のフィルタである限り、ラダー型フィルタに限定されるものでもない。
【００３１】
他方、ハイパスフィルタ７は、ハイパスフィルタ７の入力端と出力端とを結ぶ直列腕において互いに直列に接続された第１，第２の直列腕共振子Ｓ１１，Ｓ１２と、直列腕共振子Ｓ１１，Ｓ１２間の接続点とグラウンド電位とを結ぶ並列腕に配置されたインダクタンス素子Ｌ１とを有する。第１，第２の直列腕共振子Ｓ１１，Ｓ１２は、それぞれ、弾性表面波共振子からなる。もっとも、第１，第２の直列腕共振子Ｓ１１，Ｓ１２は、弾性表面波共振子に限らず、弾性境界波共振子や圧電薄膜共振子などの他の弾性波共振子でもよい。
【００３２】
直列腕共振子Ｓ１１，Ｓ１２は、共振周波数と反共振周波数との間以外は単なる容量として機能する。そのため、ハイパスフィルタ７では、直列腕共振子Ｓ１１，Ｓ１２の容量成分と、インダクタンス素子Ｌ１のインダクタンスとによりハイパスフィルタとしての特性が得られている。すなわち、カットオフ周波数以下の帯域の信号を減衰させ、カットオフ周波数を超える帯域の信号を通過させる。このカットオフ周波数は、第１のバンドパスフィルタ４の通過帯域すなわちＧＰＳの通過帯域よりも高域側に位置し、ＷＬＡＮの通過帯域よりも低域側に位置している。従って、ハイパスフィルタ７により、ＧＰＳの信号を十分に減衰させ、ＷＬＡＮの信号を通過させることができる。
【００３３】
加えて、ハイパスフィルタ７は、弾性表面波共振子からなる直列腕共振子Ｓ１１，Ｓ１２により、ノッチフィルタ部をも構成している。このノッチフィルタ部は、帯域除去型フィルタ（ＢＥＦ）として作用するものであり、ハイパスフィルタ７の通過帯域内に阻止帯域を形成する。図１に示すハイパスフィルタ７では、通過帯域内に阻止帯域が形成されていることが模式的に示されている。
【００３４】
上記阻止帯域は、直列腕共振子Ｓ１１，Ｓ１２の反共振周波数における高いインピーダンスにより形成される。本実施形態では、直列腕共振子Ｓ１１，Ｓ１２の反共振周波数は、Ｂａｎｄ７の通過帯域、すなわちＷＬＡＮの通過帯域の高域側近傍に位置している。これを図３を参照して説明する。図３の破線は、前述した第１のバンドパスフィルタ４のフィルタ特性を示す。第１のバンドパスフィルタ４では、ＧＰＳの通過帯域である１．５５〜１．６５ＧＨｚ帯において挿入損失が約１ｄＢとなっている。この通過帯域よりも高い周波数域及び低い周波数域が減衰帯域とされている。
【００３５】
他方、図３の実線は、ハイパスフィルタ７のフィルタ特性を示す。ハイパスフィルタ７は、カットオフ周波数がＧＰＳの搬送波周波数帯域よりも高周波数域にある。すなわち、ハイパスフィルタ７の通過帯域は、第１のバンドパスフィルタ４の通過帯域よりも高周波数域にある。従って、ＧＰＳの信号を十分に減衰することができる。他方、前述したように、本実施形態では、ハイパスフィルタ７が上記帯域除去フィルタとして作用するノッチフィルタ部を備えているため、矢印Ｂで示す阻止帯域が形成されている。すなわち、直列腕共振子Ｓ１１，Ｓ１２の反共振周波数がＢａｎｄ７の搬送波周波数帯域の一部である２．５ＧＨｚ付近に位置する。従って、２．５ＧＨｚ付近に矢印Ｂで示す阻止帯域が形成されている。
【００３６】
図２に戻り、ハイパスフィルタ７の後段に接続されている第２のバンドパスフィルタ８は、ＷＬＡＮの信号を通過させる帯域通過型のフィルタである。このようなバンドパスフィルタ８は、複数の共振子を用いたラダー型フィルタや、容量とインダクタンスとを用いて構成されたＬＣフィルタなどの適宜のフィルタにより構成することができる。本実施形態では、第２のバンドパスフィルタ８は、第１のバンドパスフィルタ４と同様に、複数の弾性表面波共振子を用いてなるラダー型フィルタにより構成されている。
【００３７】
図３に第２のバンドパスフィルタ８のフィルタ特性を一点鎖線Ｃで示す。前述したように、ＷＬＡＮの通過帯域高域側と、Ｂａｎｄ７の搬送波周波数帯域の低域側とは非常に近接している。従って、阻止帯域Ｂは、ＷＬＡＮの通過帯域高域側端部と減衰帯域との間において減衰量が急激に変化する遷移域に位置している。
【００３８】
そのため、本実施形態では、第２の端子９から取り出される信号において、ＷＬＡＮの通過帯域高域側端部におけるフィルタ特性の急峻性を効果的に高めることができる。すなわち、Ｂａｎｄ７の信号を抑制しつつ、ＷＬＡＮの信号の選択度を効果的に高めることが可能となる。
【００３９】
しかも、上記ハイパスフィルタ７が、尖鋭度が大きい反共振周波数及び共振周波数を有する弾性波共振子によって阻止帯域を形成するノッチフィルタ部を有するように構成されているため、上記フィルタ特性の急峻性を高めるために追加的な部品や回路を必要としない。例えば、特許文献１に記載の分波器では、ＷＬＡＮの通過帯域高域側においてＢａｎｄ７の信号を十分に抑圧するには、前述したように別回路素子として帯域阻止型フィルタを追加しなければならなかった。
【００４０】
これに対して、本実施形態では、ハイパスフィルタ７が、第１，第２の直列腕共振子Ｓ１１，Ｓ１２とインダクタンス素子Ｌ１とを有する構成において、直列腕共振子Ｓ１１，Ｓ１２の反共振周波数における高インピーダンスを利用して、上記阻止帯域を形成することができる。また、ハイパスフィルタ７の第１，第２の直列腕共振子Ｓ１１，Ｓ１２と、第１のバンドパスフィルタ４の直列腕共振子Ｓ１〜Ｓ３及び並列腕共振子Ｐ１〜Ｐ３とを同種の弾性波共振子にすれば、同一基板に形成することもできる。さらに、第２のバンドパスフィルタ８が同種の弾性波共振子を用いたラダー型フィルタから構成される場合は、第２のバンドパスフィルタ８も前記同一基板に形成することもできる。従って、部品点数の増加をさほどまねくことなく、安価に、ＷＬＡＮの通過帯域における信号の選択度を高めることが可能となる。
【００４１】
図４は、本発明の第２の実施形態に係る分波器の回路図である。第２の実施形態の分波器２１では、アンテナ端子３に第１のバンドパスフィルタ４が接続されている。第１のバンドパスフィルタ４は、第１の実施形態と同様であるため、同一の部分には同一の参照番号を附することによりその説明を省略する。
【００４２】
アンテナ端子３と第２の端子９との間には、ハイパスフィルタ７Ａ及び第２のバンドパスフィルタ８が互いに直列に接続されている。すなわち、アンテナ端子３側にハイパスフィルタ７Ａが接続されている。第２のバンドパスフィルタ８は、第１の実施形態と同様に構成されている。
【００４３】
本実施形態が、第１の実施形態と異なるところは、ハイパスフィルタ７Ａが図示のような回路構成を有することにある。すなわち、ハイパスフィルタ７Ａは、入力端と出力端とを結ぶ直列腕に直列に接続された第１，第２の直列腕共振子Ｓ２１，Ｓ２２を有する。入力端とグラウンド電位とを結ぶ並列腕に第１のインダクタンス素子Ｌ２１を有する。直列腕共振子Ｓ２１，Ｓ２２間の接続点とグラウンド電位とを結ぶ並列腕に並列腕共振子Ｐ２１を有する。出力端とグラウンド電位とを結ぶ並列腕に第２のインダクタンス素子Ｌ２２が配置されている。
【００４４】
従って、ハイパスフィルタ７Ａも、直列腕と並列腕とを有するラダー型の回路構成を備える。直列腕共振子Ｓ２１，Ｓ２２及び並列腕共振子Ｐ２１は、弾性表面波共振子からなる。もっとも、本実施形態においても、直列腕共振子Ｓ２２及び並列腕共振子Ｐ２１は弾性表面波共振子以外の弾性波共振子により構成されてもよい。
【００４５】
本実施形態のハイパスフィルタ７Ａにおいても、インダクタンス素子Ｌ２１，Ｌ２２と直列腕共振子Ｓ２１，Ｓ２２の容量成分とにより、ＷＬＡＮの信号を通過させるハイパスフィルタとしての特性が得られる。ここで、本実施形態のハイパスフィルタ７Ａでは、並列腕共振子Ｐ２１の容量成分によってＷＬＡＮの通過帯域よりも高域側で緩やかに減衰量が増加していく。そのため、ハイパスフィルタ７Ａはバンドパスフィルタであるとも言える。しかし、本発明を構成するハイパスフィルタは狭義のハイパスフィルタに限定されず、カットオフ周波数以下の帯域の信号を減衰させ、カットオフ周波数を超える帯域の信号を通過させる機能を有する帯域フィルタである。したがって、本発明を構成するハイパスフィルタにはバンドパスフィルタが含まれる。
【００４６】
他方、直列腕共振子Ｓ２１，Ｓ２２の反共振周波数及び並列腕共振子Ｐ２１の共振周波数が、Ｂａｎｄ７の搬送波周波数帯域に位置している。従って、直列腕共振子Ｓ２１，Ｓ２２及び並列腕共振子Ｐ２１により第１の実施形態と同様にトラップを形成することができる。よって、Ｂａｎｄ７の通過帯域における信号を十分に減衰させることができる。よって、第２の端子９から取り出される信号において、ＷＬＡＮの通過帯域高域側におけるフィルタ特性の急峻性を効果的に高めることができる。よって、ＷＬＡＮの通過帯域における信号の選択度を効果的に高めることが可能となる。
【００４７】
加えて、本実施形態では、第１，第２のインダクタンス素子Ｌ２１，Ｌ２２が入力端または出力端に対し、直列腕共振子Ｓ２１，Ｓ２２に並列に接続されている。従って、インピーダンス整合をインダクタンス素子Ｌ２１，Ｌ２２のインダクタンス値を調整することにより容易に図ることができる。加えて、入力端側に第１のインダクタンス素子Ｌ２１がグラウンド電位との間に接続されているため、耐サージ電圧性も高めることが可能となる。
【００４８】
なお、第１，第２の実施形態では、ハイパスフィルタの直列腕共振子の反共振周波数または並列腕共振子の共振周波数をＢａｎｄ７の搬送波周波数帯域に位置させていた。それによって、Ｂａｎｄ７の搬送波周波数帯域における信号を十分に減衰させ、ＷＬＡＮの通過帯域高域側におけるフィルタ特性の急峻性を高めることが可能とされている。しかしながら、本発明は、このような用途に限定されるものではない。例えば、ＷＬＡＮの通過帯域における信号の選択度を高めるために、Ｂａｎｄ４０の搬送波周波数帯域（２．３〜２．４ＧＨｚ）の信号を十分に減衰させることが必要な場合もある。その場合には、弾性波共振子の反共振周波数すなわちトラップ形成位置をＢａｎｄ４０の搬送波周波数帯域内に位置させれば、ＷＬＡＮの通過帯域低域側近傍におけるフィルタ特性の急峻性を高めることができる。
【００４９】
また、第１のバンドパスフィルタ４の通過帯域は、ＧＰＳに限らず、ＧＬＯＮＡＳＳの搬送波周波数帯域であってもよい。さらには、第１のバンドパスフィルタ４は、第２のバンドパスフィルタ８の通過帯域よりも低い通過帯域にある限り、ＧＰＳやＧＬＯＮＡＳＳの通過帯域に限定されるものでない。すなわち、本発明の分波器は、アンテナ端子から入力された信号の内、相対的に通過帯域が低い第１の通過帯域と、相対的に通過帯域が高い第２の通過帯域とを分布する必要がある用途に広く適用することができる。従って、第１のバンドパスフィルタ４の通過帯域はＧＰＳやＧＬＯＮＡＳＳの通過帯域に限定されるものではない。同様に、第２のバンドパスフィルタ８の通過帯域についても、ＷＬＡＮに限定されるものでもない。
【００５０】
また、本発明の特徴であるハイパスフィルタの回路構成についても、図２及び図４に示した構成に限定されるものでもなく、ラダー型の回路構成におけるフィルタの段数についても特に限定されるものではない。すなわち、本発明のハイパスフィルタの回路構成は、直列腕に設けられた少なくとも１つの弾性波共振子と、並列腕に設けられた少なくとも１つのインダクタンス素子とを有するラダー型の回路構成であればよい。
【符号の説明】
【００５１】
１…分波器
３…アンテナ端子
４…第１のバンドパスフィルタ
５…第１の端子
６…ＲＦ−ＩＣ
７…ハイパスフィルタ
８…第２のバンドパスフィルタ
９…第２の端子
２１…分波器
Ｌ２１…第１のインダクタンス素子
Ｌ２２…第２のインダクタンス素子
Ｐ１〜Ｐ３…並列腕共振子
Ｐ２１…並列腕共振子
Ｓ１〜Ｓ３…直列腕共振子
Ｓ１１…第１の直列腕共振子
Ｓ１２…第２の直列腕共振子
Ｓ２１…第１の直列腕共振子
Ｓ２２…第２の直列腕共振子
【図１】
2012176508.tif 000003
【図２】
2012176508.tif 000004
【図３】
2012176508.tif 000005
【図４】
2012176508.tif 000006
【図５】
2012176508.tif 000007
【国際調査報告】
2012176508.tif 000008
2012176508.tif 000009
2012176508.tif 000010
2012176508.tif 000011